(57)【要約】【課題】シアン、マゼンタ、イエロー、ブラック、および淡ブラックの周期的なドット配置でモアレ現象の発生を抑止できる画像形成装置を提供する。【解決手段】画像形成装置１０は、色変換部１と、ＢＧ／ＵＣＲ処理部２と、Ｂｋ／Ｌｋ生成部３と、中間調処理部４とを備える。シアン、ブラック、およびマゼンタが略同一の周波数を有し、かつ、角度差をそれぞれ約３０度ずつに設定された網点スクリーンである。淡ブラックは網点スクリーンであり、淡ブラックおよびブラックは、淡ブラックおよびブラックのうちの低い方の周波数に対する高い方の周波数の比である周波数比が１．０〜１．２であり、かつ、角度差が約４５度である。【選択図】        図１
2005297538.tif 000002
【特許請求の範囲】
【請求項１】
ＲＧＢ画像データから変換されたシアン（Ｃ）、マゼンタ（Ｍ）、イエロー（Ｙ）、ブラック（Ｂｋ）、および淡ブラック（Ｌｋ）による周期的なドット配置によって画像処理する画像処理手段を備えて画像を形成する画像形成装置であって、
前記画像処理手段は、前記ドット配置の周波数および角度が、前記ブラックおよび淡ブラックの重なりによって発生するモアレ現象を低減させる第１の設定が施されたものを使用して画像処理するものであることを特徴とする画像形成装置。
【請求項２】
前記画像処理手段は、前記ドット配置の周波数および角度が、前記淡ブラックとシアンのモアレ現象、ならびに前記淡ブラックとマゼンタのモアレ現象を低減させる第２の設定が施されたものを使用して画像処理するものであることを特徴とする請求項１に記載の画像形成装置。
【請求項３】
前記画像処理手段は、前記淡ブラックの色材濃度が前記イエローの色材濃度よりも濃い場合にのみ、前記第２の設定を施されたものを使用して画像処理するものであることを特徴とする請求項２に記載の画像形成装置。
【請求項４】
前記画像処理手段は、前記ドット配置の周波数および角度が、
前記シアン、ブラック、およびマゼンタが略同一の周波数を有し、かつ、前記角度差をそれぞれ約３０度ずつに設定された網点スクリーンであり、
前記淡ブラックは網点スクリーンであり、
前記淡ブラックおよび前記ブラックは、前記淡ブラックおよびブラックのうちの低い方の周波数に対する高い方の周波数の比である周波数比が１．０〜１．２であり、かつ、前記角度差が約４５度であるものを使用して画像処理するものであることを特徴とする請求項１〜３のいずれか１つに記載の画像形成装置。
【請求項５】
前記画像処理手段は、前記ドット配置の周波数および角度が、
前記シアン、ブラック、およびマゼンタが略同一の周波数を有し、かつ、前記角度差がそれぞれ約３０度ずつに設定された網点スクリーンであり、
前記淡ブラックは網点スクリーンであり、
前記淡ブラックおよび前記ブラックは、前記淡ブラックおよびブラックの前記周波数比が１．５〜１．７であり、かつ、前記角度差が約３０度であるものを使用して画像処理するものであることを特徴とする請求項１〜３のいずれか１つに記載の画像形成装置。
【請求項６】
前記画像処理手段は、前記ドット配置の周波数および角度が、
前記ブラックと淡ブラックは、前記角度差が約９０度のラインスクリーンであるものを使用して画像処理するものであることを特徴とする請求項１〜３のいずれか１つに記載の画像形成装置。
【請求項７】
前記画像処理手段は、前記ドット配置の周波数および角度が、
前記シアンおよびマゼンタは、網点スクリーンであり、
前記シアンおよび前記ブラックの前記周波数比と、前記マゼンタおよび前記ブラックの前記周波数比とが略同一であり、
前記シアンおよびマゼンタの前記淡ブラックに対する前記角度差はそれぞれ約±３０度であるものを使用して画像処理するものであることを特徴とする請求項６に記載の画像形成装置。
【請求項８】
前記画像処理手段は、前記ドット配置の周波数および角度が、
前記シアンおよびマゼンタは、ラインスクリーンであり、
前記シアンおよび前記ブラックの前記周波数比と、前記マゼンタおよび前記ブラックの前記周波数比とが略同一であり、
前記シアンおよびマゼンタの前記ブラックに対する前記角度差はそれぞれ約±４５度であるものを使用して画像処理するものであることを特徴とする請求項６に記載の画像形成装置。
【請求項９】
ＲＧＢ画像データから変換されたシアン（Ｃ）、マゼンタ（Ｍ）、イエロー（Ｙ）、ブラック（Ｂｋ）、および淡ブラック（Ｌｋ）による周期的なドット配置によって画像処理する画像処理工程を備えて画像を形成する画像形成方法であって、
前記画像処理工程は、前記ドット配置の周波数および角度が、前記ブラックおよび淡ブラックの重なりによって発生するモアレ現象を低減させる第１の設定が施されたものを使用して画像処理するものであることを特徴とする画像形成方法。
【請求項１０】
前記画像処理工程は、前記ドット配置の周波数および角度が、
前記淡ブラックとシアンのモアレ現象、ならびに前記淡ブラックとマゼンタのモアレ現象を低減させる第２の設定が施されたものを使用して画像処理するものであることを特徴とする請求項９に記載の画像形成方法。
【請求項１１】
前記画像処理工程は、前記淡ブラックの色材濃度が前記イエローの色材濃度よりも濃い場合にのみ、前記第２の設定を施されたものを使用して画像処理するものであることを特徴とする請求項１０に記載の画像形成方法。
【請求項１２】
前記画像処理工程は、前記ドット配置の周波数および角度が、
前記シアン、ブラック、およびマゼンタが略同一の周波数を有し、かつ、前記角度差をそれぞれ約３０度ずつに設定された網点スクリーンであり、
前記淡ブラックは網点スクリーンであり、
前記淡ブラックおよび前記ブラックは、前記淡ブラックおよびブラックのうちの低い方の周波数に対する高い方の周波数の比である周波数比が１．０〜１．２であり、かつ、前記角度差が約４５度であるものを使用して画像処理するものであることを特徴とする請求項９〜１１のいずれか１つに記載の画像形成方法。
【請求項１３】
前記画像処理工程は、前記ドット配置の周波数および角度が、
前記シアン、ブラック、およびマゼンタが略同一の周波数を有し、かつ、前記角度差がそれぞれ約３０度ずつに設定された網点スクリーンであり、
前記淡ブラックは網点スクリーンであり、
前記淡ブラックおよび前記ブラックは、前記淡ブラックおよびブラックの前記周波数比が１．５〜１．７であり、かつ、前記角度差が約３０度であるものを使用して画像処理するものであることを特徴とする請求項９〜１１のいずれか１つに記載の画像形成方法。
【請求項１４】
前記画像処理工程は、前記ドット配置の周波数および角度が、
前記ブラックと淡ブラックは、前記角度差が約９０度のラインスクリーンであるものを使用して画像処理するものであることを特徴とする請求項９〜１１のいずれか１つに記載の画像形成方法。
【請求項１５】
前記画像処理工程は、前記ドット配置の周波数および角度が、
前記シアンおよびマゼンタは、網点スクリーンであり、
前記シアンおよび前記ブラックの前記周波数比と、前記マゼンタおよび前記ブラックの前記周波数比とが略同一であり、
前記シアンおよびマゼンタの前記淡ブラックに対する前記角度差はそれぞれ約±３０度であるものを使用して画像処理するものであることを特徴とする請求項１４に記載の画像形成方法。
【請求項１６】
前記画像処理工程は、前記ドット配置の周波数および角度が、
前記シアンおよびマゼンタは、ラインスクリーンであり、
前記シアンおよび前記ブラックの前記周波数比と、前記マゼンタおよび前記ブラックの前記周波数比とが略同一であり、
前記シアンおよびマゼンタの前記ブラックに対する前記角度差はそれぞれ約±４５度であるものを使用して画像処理するものであることを特徴とする請求項１４に記載の画像形成方法。
【請求項１７】
請求項９〜１６のいずれか１つに記載の画像形成方法をコンピュータに実行させることを特徴とするプログラム。
【請求項１８】
請求項１７に記載のプログラムを記録したことを特徴とするコンピュータ読み取り可能な記録媒体。
【発明の詳細な説明】
【技術分野】
【０００１】
本発明は、画像形成装置に関するものであり、特にデジタルカラー複写機、カラーレー
ザープリンタ、およびインクジェットプリンタ等のトナーあるいはインク等の色材を用い
て画像形成を行う画像形成装置に関する。
【背景技術】
【０００２】
従来、電子写真方式やインクジェット方式の画像形成装置において、５色以上のトナーあるいはインクを用いて画像を形成する画像形成装置が考案され、画像の形成を精密なものとする開発がなされてきた（特許文献１および２）。これらの発明は、上記画像形成装置において低濃度部の粒状性を向上させるために、濃淡トナーを用いて画像を形成するものである。
【０００３】
また、インクジェット方式においても低濃度部の粒状性を向上させるために、濃淡イン
クを用いて画像を形成する発明がなされた（特許文献３）。
【０００４】
このような画像形成装置では、ドットのＯＮ／ＯＦＦの２値記録、あるいは、中間サイズのドットを用いた数階調で記録するため、入力画像データの階調数を画像形成装置の記録階調数に変換する中間調処理が、入力画像データの各色データに対して施される。この中間調処理にディザ処理を用いた場合、網点スクリーンあるいはラインスクリーンのように周期性を持った画像が形成されることになる。ここで、網点スクリーンは網点の大きさの大小で濃淡を表現するものであり、ラインスクリーンはラインの幅の大小で濃淡を表現するものである。
【０００５】
Ｃｙａｎ、Ｍａｇｅｎｔａ、Ｙｅｌｌｏｗ、Ｂｌａｃｋ（シアン、マゼンタ、イエロー
、ブラック、ＣＭＹＫ）の４色で記録する画像形成装置においては、各色の周期性の重なりによって生じるモアレを抑制するため、一般的には各色で異なるスクリーンを用いる。３版の網点スクリーンの重なりによるモアレを抑制するためには、網点の周波数（線数）が同一の場合、一般的には３０°間隔の角度でスクリーンを配置することが望ましい。そこで、ＣＭＫの３版を３０°間隔で配置し、最も目立ちにくいＹ版をその中間のスクリーン角度で配置することが多い。また、ラインスクリーンであれば、ＣＭＫの３版を６０°間隔で配置することでモアレを抑制することが可能となる。
【０００６】
画像形成装置では、通常、記録解像度によって取り得るスクリーン角度および周波数は
決まってくるため、上記の条件に最も近くなるようなスクリーン設定をする。例えば、記
録解像度が６００ｄｐｉ（ドットパーインチ）または１２００ｄｐｉで網点スクリーンを
用いる場合には、
Ｃ版  １９０Ｌ（１８°）
Ｍ版  １９０Ｌ（７２°）
Ｙ版  ２００Ｌ（  ０°）
Ｋ版  ２１２Ｌ（４５°）
とすることが多い。
【０００７】
図２は、従来例においてスクリーン角度が１８°の網点スクリーンおよびラインスクリ
ーンを説明する図である。スクリーン角度は図２のθで表される角度であり、網点スクリ
ーンの場合には０°から１８０°の間に２つの角度を持つため、そのうちの０°以上９０
°未満の角度で表現することとし、ラインスクリーンの場合には０°以上１８０°未満の
角度で表現することとする。
【０００８】
【特許文献１】特開２００２−３１９４９号公報
【特許文献２】特開平８−１７１２５２号公報
【特許文献３】特許第３２９２１０４号公報
【発明の開示】
【発明が解決しようとする課題】
【０００９】
しかしながら、Ｋ版について濃淡トナー（あるいはインク）を用いて５色（以下、濃い
Ｋ版をＢｋ版、淡いＫ版をＬｋ版と表記する）で画像を形成する場合には、Ｂｋ版とＬｋ版のスクリーンの重なりによって発生するモアレ現象、さらには、Ｂｋ版とその他の色版、およびＬｋ版とその他の色版のモアレをも考慮しなくてはならなくなる。
【００１０】
例えば、上記ＣＭＹＫ版をＣＭＹＢｋ版に設定し、そのＣ版とＢｋ版の間にＬｋ版の網点スクリーンを配置する場合を考える。１２００ｄｐｉでは、２０６Ｌ（３１°）の網点スクリーンが設定できるが、この場合、Ｂｋ版とＬｋ版はスクリーン周波数がほぼ同一で、角度差が１４度となるため、この２版が重なった場合にモアレが発生してしまう。つまり、５色の各版に対しては、各版の重なりによってモアレを発生させないようにするため、どのようにスクリーンを設定するのが望ましいかという問題が発生する。
【００１１】
図３は、Ｂｋ版を２１２Ｌ（４５°）に、Ｌｋ版を２０６Ｌ（３１°）に設定したスクリーンの場合、版の重なりによるモアレが生じることを説明する図である。図３に示すような設定の場合、Ｂｋ版およびＬｋ版の重なりによってスクリーンにモアレが生じる。
【００１２】
本発明は、上記に鑑みてなされたものであって、ブラックの濃淡トナーあるいはブラッ
クの濃淡インクを含む５色で最適なスクリーンを設定してモアレ現象の発生を抑止できる
画像形成装置を提供することを目的とする。
【課題を解決するための手段】
【００１３】
上述した課題を解決し、目的を達成するために、請求項１にかかる発明は、ＲＧＢ画像データから変換されたシアン（Ｃ）、マゼンタ（Ｍ）、イエロー（Ｙ）、ブラック（Ｂｋ）、および淡ブラック（Ｌｋ）による周期的なドット配置によって画像処理する画像処理手段を備えて画像を形成する画像形成装置であって、前記画像処理手段は、前記ドット配置の周波数および角度が、前記ブラックおよび淡ブラックの重なりによって発生するモアレ現象を低減させる第１の設定が施されたものを使用して画像処理するものであることを特徴とする。
【００１４】
この請求項１にかかる発明によれば、シアン、マゼンタ、イエロー、ブラック、および
淡ブラックの周期的なドット配置で画像を形成する場合、ブラックおよび淡ブラックに対
して、重なりによって発生するモアレ現象の発生を抑止することができる。
【００１５】
また、請求項２にかかる発明は、請求項１に記載の画像形成装置において、前記画像処理手段は、前記ドット配置の周波数および角度が、前記淡ブラックとシアンのモアレ現象、ならびに前記淡ブラックとマゼンタのモアレ現象を低減させる第２の設定が施されたものを使用して画像処理するものであることを特徴とする。
【００１６】
この請求項２にかかる発明によれば、ブラックと淡ブラックの重なりによるモアレを抑
制し、かつ、淡ブラックとシアン、淡ブラックとマゼンタの重なりによるモアレを最小限に抑えることができる。
【００１７】
また、請求項３にかかる発明は、請求項２に記載の画像形成装置において、前記画像処理手段は、前記淡ブラックの色材濃度が前記イエローの色材濃度よりも濃い場合にのみ、前記第２の設定を施されたものを使用して画像処理するものであることを特徴とする。
【００１８】
この請求項３にかかる発明によれば、淡ブラックとイエローの色材濃度が濃い方の版を
優先してスクリーン設定するので、モアレ現象の発生を抑止することができる。
【００１９】
また、請求項４にかかる発明は、請求項１〜３のいずれか１つに記載の画像形成装置において、前記画像処理手段は、前記ドット配置の周波数および角度が、前記シアン、ブラック、およびマゼンタが略同一の周波数を有し、かつ、前記角度差をそれぞれ約３０度ずつに設定された網点スクリーンであり、前記淡ブラックは網点スクリーンであり、前記淡ブラックおよび前記ブラックは、前記淡ブラックおよびブラックのうちの低い方の周波数に対する高い方の周波数の比である周波数比が１．０〜１．２であり、かつ、前記角度差が約４５度であるものを使用して画像処理するものであることを特徴とする。
【００２０】
この請求項４にかかる発明によれば、各色に網点スクリーンを用いる場合のモアレを抑
制することができる。
【００２１】
また、請求項５にかかる発明は、請求項１〜３のいずれか１つに記載の画像形成装置において、前記画像処理手段は、前記ドット配置の周波数および角度が、前記シアン、ブラック、およびマゼンタが略同一の周波数を有し、かつ、前記角度差がそれぞれ約３０度ずつに設定された網点スクリーンであり、前記淡ブラックは網点スクリーンであり、前記淡ブラックおよび前記ブラックは、前記淡ブラックおよびブラックの前記周波数比が１．５〜１．７であり、かつ、前記角度差が約３０度であるものを使用して画像処理するものであることを特徴とする。
【００２２】
この請求項５にかかる発明によれば、各色に網点スクリーンを用いる場合のモアレを抑
制することができる。
【００２３】
また、請求項６にかかる発明は、請求項１〜３のいずれか１つに記載の画像形成装置において、前記画像処理手段は、前記ドット配置の周波数および角度が、前記ブラックと淡ブラックは、前記角度差が約９０度のラインスクリーンであるものを使用して画像処理するものであることを特徴とする。
【００２４】
この請求項６にかかる発明によれば、ブラックと淡ブラックにラインスクリーンを用い
る場合に、ブラックと淡ブラックの重なりによるモアレを抑制することができる。
【００２５】
また、請求項７にかかる発明は、請求項６に記載の画像形成装置において、前記画像処理手段は、前記ドット配置の周波数および角度が、前記シアンおよびマゼンタは、網点スクリーンであり、前記シアンおよび前記ブラックの前記周波数比と、前記マゼンタおよび前記ブラックの前記周波数比とが略同一であり、前記シアンおよびマゼンタの前記淡ブラックに対する前記角度差はそれぞれ約±３０度であるものを使用して画像処理するものであることを特徴とする。
【００２６】
この請求項７にかかる発明によれば、ブラックと淡ブラックにラインスクリーンを用い
、シアンとマゼンタには網点スクリーンを用いる場合に、各色の重なりによるモアレを抑
制することができる。
【００２７】
また、請求項８にかかる発明は、請求項６に記載の画像形成装置において、前記画像処理手段は、前記ドット配置の周波数および角度が、前記シアンおよびマゼンタは、ラインスクリーンであり、前記シアンおよび前記ブラックの前記周波数比と、前記マゼンタおよび前記ブラックの前記周波数比とが略同一であり、前記シアンおよびマゼンタの前記ブラックに対する前記角度差はそれぞれ約±４５度であるものを使用して画像処理するものであることを特徴とする。
【００２８】
この請求項８にかかる発明によれば、各色にラインスクリーンを用いる場合のモアレを
抑制することができる。
【００２９】
また、請求項９にかかる発明は、ＲＧＢ画像データから変換されたシアン（Ｃ）、マゼンタ（Ｍ）、イエロー（Ｙ）、ブラック（Ｂｋ）、および淡ブラック（Ｌｋ）による周期的なドット配置によって画像処理する画像処理工程を備えて画像を形成する画像形成方法であって、前記画像処理工程は、前記ドット配置の周波数および角度が、前記ブラックおよび淡ブラックの重なりによって発生するモアレ現象を低減させる第１の設定が施されたものを使用して画像処理するものであることを特徴とする。
【００３０】
この請求項９にかかる発明によれば、シアン、マゼンタ、イエロー、ブラック、および
淡ブラックの周期的なドット配置で画像を形成する場合、ブラックおよび淡ブラックに対
して、重なりによって発生するモアレ現象の発生を抑止することができる。
【００３１】
また、請求項１０にかかる発明は、請求項９に記載の画像形成方法において、前記画像処理工程は、前記ドット配置の周波数および角度が、前記淡ブラックとシアンのモアレ現象、ならびに前記淡ブラックとマゼンタのモアレ現象を低減させる第２の設定が施されたものを使用して画像処理するものであることを特徴とする。
【００３２】
この請求項１０にかかる発明によれば、ブラックと淡ブラックの重なりによるモアレを抑制し、かつ、淡ブラックとシアン、淡ブラックとマゼンタの重なりによるモアレを最小限に抑えることができる。
【００３３】
また、請求項１１にかかる発明は、請求項１０に記載の画像形成方法において、前記画像処理工程は、前記淡ブラックの色材濃度が前記イエローの色材濃度よりも濃い場合にのみ、前記第２の設定を施されたものを使用して画像処理するものであることを特徴とする。
【００３４】
この請求項１１にかかる発明によれば、淡ブラックとイエローの色材濃度が濃い方の版を優先してスクリーン設定するので、モアレ現象の発生を抑止することができる。
【００３５】
また、請求項１２にかかる発明は、請求項９〜１１のいずれか１つに記載の画像形成方法において、前記画像処理工程は、前記ドット配置の周波数および角度が、前記シアン、ブラック、およびマゼンタが略同一の周波数を有し、かつ、前記角度差をそれぞれ約３０度ずつに設定された網点スクリーンであり、前記淡ブラックは網点スクリーンであり、前記淡ブラックおよび前記ブラックは、前記淡ブラックおよびブラックのうちの低い方の周波数に対する高い方の周波数の比である周波数比が１．０〜１．２であり、かつ、前記角度差が約４５度であるものを使用して画像処理するものであることを特徴とする。
【００３６】
この請求項１２にかかる発明によれば、各色に網点スクリーンを用いる場合のモアレを抑制することができる。
【００３７】
また、請求項１３にかかる発明は、請求項９〜１１のいずれか１つに記載の画像形成方法において、前記画像処理工程は、前記ドット配置の周波数および角度が、前記シアン、ブラック、およびマゼンタが略同一の周波数を有し、かつ、前記角度差がそれぞれ約３０度ずつに設定された網点スクリーンであり、前記淡ブラックは網点スクリーンであり、前記淡ブラックおよび前記ブラックは、前記淡ブラックおよびブラックの前記周波数比が１．５〜１．７であり、かつ、前記角度差が約３０度であるものを使用して画像処理するものであることを特徴とする。
【００３８】
この請求項１３にかかる発明によれば、各色に網点スクリーンを用いる場合のモアレを抑制することができる。
【００３９】
また、請求項１４にかかる発明は、請求項９〜１１のいずれか１つに記載の画像形成方法において、前記画像処理工程は、前記ドット配置の周波数および角度が、前記ブラックと淡ブラックは、前記角度差が約９０度のラインスクリーンであるものを使用して画像処理するものであることを特徴とする。
【００４０】
この請求項１４にかかる発明によれば、ブラックと淡ブラックにラインスクリーンを用いる場合に、ブラックと淡ブラックの重なりによるモアレを抑制することができる。
【００４１】
また、請求項１５にかかる発明は、請求項１４に記載の画像形成方法において、前記画像処理工程は、前記ドット配置の周波数および角度が、前記シアンおよびマゼンタは、網点スクリーンであり、前記シアンおよび前記ブラックの前記周波数比と、前記マゼンタおよび前記ブラックの前記周波数比とが略同一であり、前記シアンおよびマゼンタの前記淡ブラックに対する前記角度差はそれぞれ約±３０度であるものを使用して画像処理するものであることを特徴とする。
【００４２】
この請求項１５にかかる発明によれば、ブラックと淡ブラックにラインスクリーンを用い、シアンとマゼンタには網点スクリーンを用いる場合に、各色の重なりによるモアレを抑制することができる。
【００４３】
また、請求項１６にかかる発明は、請求項１４に記載の画像形成方法において、前記画像処理工程は、前記ドット配置の周波数および角度が、前記シアンおよびマゼンタは、ラインスクリーンであり、前記シアンおよび前記ブラックの前記周波数比と、前記マゼンタおよび前記ブラックの前記周波数比とが略同一であり、前記シアンおよびマゼンタの前記ブラックに対する前記角度差はそれぞれ約±４５度であるものを使用して画像処理するものであることを特徴とする。
【００４４】
この請求項１６にかかる発明によれば、各色にラインスクリーンを用いる場合のモアレを抑制することができる。
【００４５】
また、請求項１７にかかる発明は、プログラムであって、請求項９〜１６のいずれか１つに記載の画像形成方法をコンピュータに実行させることを特徴とする。
【００４６】
この請求項１７にかかる発明によれば、請求項９〜１６のいずれか１つに記載の画像形成方法をコンピュータに実行させることができる。
【００４７】
また、請求項１８にかかる発明は、コンピュータ読み取り可能な記録媒体であって、請求項１７に記載のプログラムを記録したことを特徴とする。
【００４８】
この請求項１８にかかる発明によれば、請求項１７に記載のプログラムを記録してコンピュータに読み取り可能とさせることができる。
【発明の効果】
【００４９】
本発明（請求項１）にかかる画像形成装置は、シアン、マゼンタ、イエロー、ブラック
、および淡ブラックの周期的なドット配置で画像を形成する場合、ブラックおよび淡ブラ
ックに対して、重なりによって発生するモアレ現象の発生を抑止することができるという
効果を奏する。
【００５０】
また、本発明（請求項２）にかかる画像形成装置は、ブラックと淡ブラックの重なりに
よるモアレを抑制し、かつ、淡ブラックとシアンまたはマゼンタの重なりによるモアレを
最小限に抑えることができるという効果を奏する。
【００５１】
また、本発明（請求項３）にかかる画像形成装置は、淡ブラックとイエローの色材濃度
が濃い方の版を優先してスクリーン設定するので、モアレ現象の発生を抑止することがで
きるという効果を奏する。
【００５２】
また、本発明（請求項４）にかかる画像形成装置は、各色に網点スクリーンを用いる場
合のモアレを抑制することができるという効果を奏する。
【００５３】
また、本発明（請求項５）にかかる画像形成装置は、各色に網点スクリーンを用いる場
合のモアレを抑制することができるという効果を奏する。
【００５４】
また、本発明（請求項６）にかかる画像形成装置は、ブラックと淡ブラックにラインス
クリーンを用いる場合に、ブラックと淡ブラックの重なりによるモアレを抑制することが
できるという効果を奏する。
【００５５】
また、本発明（請求項７）にかかる画像形成装置は、ブラックと淡ブラックにラインス
クリーンを用い、シアンとマゼンタには網点スクリーンを用いる場合に、各色の重なりに
よるモアレを抑制することができるという効果を奏する。
【００５６】
また、本発明（請求項８）にかかる画像形成装置は、各色にラインスクリーンを用いる
場合のモアレを抑制することができるという効果を奏する。
【００５７】
また、本発明（請求項９）にかかる画像形成方法は、シアン、マゼンタ、イエロー、ブラック、および淡ブラックの周期的なドット配置で画像を形成する場合、ブラックおよび淡ブラックに対して、重なりによって発生するモアレ現象の発生を抑止することができるという効果を奏する。
【００５８】
また、本発明（請求項１０）にかかる画像形成方法は、ブラックと淡ブラックの重なりによるモアレを抑制し、かつ、淡ブラックとシアンまたはマゼンタの重なりによるモアレを最小限に抑えることができるという効果を奏する。
【００５９】
また、本発明（請求項１１）にかかる画像形成方法は、淡ブラックとイエローの色材濃度が濃い方の版を優先してスクリーン設定するので、モアレ現象の発生を抑止することができるという効果を奏する。
【００６０】
また、本発明（請求項１２）にかかる画像形成方法は、各色に網点スクリーンを用いる場合のモアレを抑制することができるという効果を奏する。
【００６１】
また、本発明（請求項１３）にかかる画像形成方法は、各色に網点スクリーンを用いる場合のモアレを抑制することができるという効果を奏する。
【００６２】
また、本発明（請求項１４）にかかる画像形成方法は、ブラックと淡ブラックにラインスクリーンを用いる場合に、ブラックと淡ブラックの重なりによるモアレを抑制することができるという効果を奏する。
【００６３】
また、本発明（請求項１５）にかかる画像形成方法は、ブラックと淡ブラックにラインスクリーンを用い、シアンとマゼンタには網点スクリーンを用いる場合に、各色の重なりによるモアレを抑制することができるという効果を奏する。
【００６４】
また、本発明（請求項１６）にかかる画像形成方法は、各色にラインスクリーンを用いる場合のモアレを抑制することができるという効果を奏する。
【００６５】
また、本発明（請求項１７）にかかるプログラムは、請求項９〜１６のいずれか１つに記載の画像形成方法をコンピュータに実行させることができるという効果を奏する。
【００６６】
また、本発明（請求項１８）にかかるコンピュータ読み取り可能な記録媒体は、請求項１７に記載のプログラムを記録してコンピュータに読み取り可能とさせることができるという効果を奏する。
【発明を実施するための最良の形態】
【００６７】
以下に添付図面を参照して、この発明にかかる画像形成装置の最良な実施の形態を詳細
に説明する。
【００６８】
（実施の形態）
（１．実施の形態による画像形成装置の構成）
図１は、本発明の実施の形態にかかる画像形成装置の構成を示すブロック図である。画
像形成装置１０は、色変換部１と、ＢＧ／ＵＣＲ（Ｂｌａｃｋ  Ｇｅｎｅｒａｔｉｏｎ黒
生成／Ｕｎｄｅｒ  Ｃｏｌｏｒ  Ｒｅｍｏｖａｌアンダーカラー除去）処理部２と、Ｂｋ
／Ｌｋ（ブラック／淡ブラック）生成部３と、中間調処理部４とを備える。
【００６９】
画像データがＲＧＢで入力され、色変換部１によってＣＭＹ（Ｃｙａｎ、Ｍａｇｅｎｔ
ａ、Ｙｅｌｌｏｗ）に変換され、ＢＧ／ＵＣＲ処理部２によって黒生成およびアンダーカラー除去処理が施されてＣＭＹＫデータに変換される。このＫ（ブラック）データを、Ｂｋ（濃ブラック）およびＬｋ（淡ブラック）データに分解して５色のデータとした後に、各色データに対して中間調処理部４によって中間調処理が施される。
【００７０】
ここで、ＲＧＢからＣＭＹへの色変換やＢＧ／ＵＣＲ処理については一般的な４色プリ
ンタの技術が適用可能であり、またＢｋ／Ｌｋ生成処理については、特許文献２などの従
来技術を使用することができるので、説明を省略する。
【００７１】
中間調処理では、ディザ処理によって各版毎にドットのＯＮ／ＯＦＦが決定され、この
ドットのＯＮ／ＯＦＦによって網点スクリーンあるいはラインスクリーンが形成される。
なお、ディザ処理以外でも、ディザ閾値を用いた誤差拡散処理のように、完全なスクリー
ンではなく、ある程度の周期性を含む画像を形成する処理も適用可能である。以下、各版
のスクリーン周波数および角度について説明する。
【００７２】
（２．１．実施例１）
各版に対して網点スクリーンを用いる場合のスクリーン設定の一例を以下に示す。ここで、スクリーン設定はあらかじめ決定しておくものであって、実際の処理においては、図１に示した中間調処理部４が、スクリーン設定に基づいて生成されたディザマトリクスを記憶したメモリ（不図示）を有して、このメモリからディザマトリクスを読み出して量子化処理を施す。
Ｃ版  １９０Ｌ（１８°）網点スクリーン
Ｍ版  １９０Ｌ（７２°）網点スクリーン
Ｙ版  ２１２Ｌ（４５°）網点スクリーン
Ｂｋ版  ２１２Ｌ（４５°）網点スクリーン
Ｌｋ版  ２００Ｌ（  ０°）網点スクリーン
【００７３】
【表１】
2005297538.tif 000003
【００７４】
表１は、淡ブラックと他の色との角度差および周波数比をまとめた一覧表である。ここ
ではＢｋ版，Ｃ版，およびＭ版と、Ｌｋ版との角度差および周波数比を示す。ここで周波数比とは、比較する色の周波数の大きい方を小さい方で割った比のことである。
【００７５】
図４は、Ｂｋ版を２１２Ｌ（４５°）に、Ｌｋ版を２００Ｌ（０°）に設定したスクリーンにおいて、版の重なりによるモアレの発生が抑制されたことを説明する図である。図４に示したように、実施例１によるディザマトリクスの設定によって、図３に示した例と比較して、モアレの発生が抑制されていることが分かる。ここで、Ｂｋ版とＬｋ版は、周波数比がほぼ同一（１．０６）で、角度差が４５度となっている。このような関係にある２版の重なりではモアレ現象は知覚し難く、ほぼモアレ現象は発生しないといえる。
【００７６】
また、Ｃ版およびＭ版とＬｋ版との比較では、周波数比がほぼ同一（１．０５）で、角度差がそれぞれ１８°となっている。このような関係にある２版が重なった場合には、モアレは発生するが、Ｂｋ版よりも目立ちにくいＣ版またはＭ版とのモアレであるため、モアレの強度は低く、比較的に知覚し難いと言える。
【００７７】
つまり、Ｂｋ版とＬｋ版の重なりによってモアレが発生すると非常に目立ちやすいため
、この２版の重なりにおけるモアレが発生しないことを第一の設定条件とし、さらに、Ｌ
ｋ版と、Ｃ版およびＭ版との重なりによるモアレをできるだけ抑制するように、各版のスクリーンを設定する。本実施例は、請求項４の発明の１つの実施例である。
【００７８】
なお、Ｙ版はＬｋ版よりも色材濃度が低い（目立ちにくい）場合を想定しており、この
ような場合には、本実施例で説明したように、Ｙ版を除く４版のスクリーン設定を優先し
、Ｙ版については、同時に使われることが少ないＢｋ版と同一のスクリーン設定にしたり
、あるいは、１６６Ｌ（３４°）など、他の４版と異なるスクリーン設定にすれば良い。
以降の実施例でも、Ｙ版については特に説明を省略する。
【００７９】
以上のように各版の網点スクリーンを設定することによって、網点スクリーンを用いて
５色で画像を形成する場合のモアレ発生を有効に抑制することが可能となる。
【００８０】
（２．２．実施例２）
各版に対して網点スクリーンを用いる場合の別の例を示す。実施例１では、各版とも網
点スクリーンの周波数はほぼ同じであったが、Ｌｋ版はＢｋ版に比べて目立ちにくいため
、低周波のスクリーンで画像を形成することが可能である。このような場合での各版の網
点スクリーンの設定を以下に示す。
【００８１】
Ｃ版  １９０Ｌ（１８°）網点スクリーン
Ｍ版  １９０Ｌ（７２°）網点スクリーン
Ｙ版  ２００Ｌ（  ０°）網点スクリーン
Ｂｋ版  ２１２Ｌ（４５°）網点スクリーン
Ｌｋ版  １２６Ｌ（１８°）網点スクリーン
【００８２】
【表２】
2005297538.tif 000004
【００８３】
表２は、淡ブラックと他の色との角度差および周波数比をまとめた一覧表である。Ｂｋ
版とＬｋ版は、周波数比が１．６８で、角度差が２７度となっている。このような関係に
ある２版の重なりではモアレは発生しない。
【００８４】
図５は、Ｂｋ版を２１２Ｌ（４５°）に、Ｌｋ版を１２６Ｌ（１８°）に設定したスクリーンにおいて、版の重なりによるモアレの発生が抑制されたことを説明する図である。図５に示した実施例２によるディザマトリクスの設定によって、図３に示した例と比較して、モアレの発生が抑制されていることが分かる。ここで、Ｌｋ版とＭ版は、周波数比が１．５１で、角度差が３６°である。すなわち、Ｌｋ版は１８°と１０８°の角度を持っているため、１０８°−７２°＝３６°の差となる。また、Ｌｋ版とＣ版は周波数比が１．５１で、角度差が０°となっている。このような関係にある２版の重なりでは、発生するモアレは非常に弱いレベルであり、知覚し難いと言える。本実施例は、請求項５の発明の１つの実施例である。
【００８５】
したがって、このような網点スクリーンを設定することによっても、５色で画像を形成
する場合のモアレを抑制することが可能となる。
【００８６】
（２．３．実施例３）
本実施例では、Ｂｋ版とＬｋ版に対してはラインスクリーンを用い、ＣＭＹ版には網点
スクリーンを用いる場合の例を示す。ここで、各版の設定は以下の通りである。
【００８７】
Ｃ版  １９０Ｌ（１８°）網点スクリーン
Ｍ版  １９０Ｌ（７２°）網点スクリーン
Ｙ版  ２００Ｌ（  ０°）網点スクリーン
Ｂｋ版  ２１２Ｌ（１３５°）ラインスクリーン
Ｌｋ版  ２１２Ｌ（  ４５°）ラインスクリーン
【００８８】
【表３】
2005297538.tif 000005
【００８９】
表３は、淡ブラックと他の色との角度差および周波数比をまとめた一覧表である。Ｂｋ
版とＬｋ版は、周波数比が同一で、角度差が９０度となっている。このような関係にある
２版の重なりではモアレは発生しない。
【００９０】
また、Ｌｋ版と、Ｃ版およびＭ版とは、周波数比が１．１２で、角度差が２７°であり、これらの版の重なりによってもモアレは発生しない。本実施例は、請求項６および７の発明の１つの実施例である。
【００９１】
したがって、Ｂｋ版とＬｋ版に対してのみ直交するラインスクリーンを用いることで、
５色で画像を形成する場合のモアレを抑制することが可能となる。
【００９２】
（２．４．実施例４）
本実施例では、全ての版に対してはラインスクリーンを用いる場合の例を示す。各版の
設定は以下の通りである。
【００９３】
Ｃ版  ２００Ｌ（  ０°）ラインスクリーン
Ｍ版  ２００Ｌ（９０°）ラインスクリーン
Ｙ版  １９０Ｌ（１８°）ラインスクリーン
Ｂｋ版  ２１２Ｌ（１３５°）ラインスクリーン
Ｌｋ版  ２１２Ｌ（４５°）ラインスクリーン
【００９４】
Ｃ版，Ｍ版，Ｂｋ版，およびＬｋ版はそれぞれ角度差が４５°の間隔で配置され、スクリーン周波数はほぼ同一である。さらにＢｋ版とＬｋ版は角度差が９０度となるように配置される。よって、Ｂｋ版とＬｋ版の重なりによってはモアレは発生せず、また、Ｌｋ版とＣ版（またはＭ版）の重なりによってもモアレは発生しない。本実施例は、請求項６および８の発明の１つの実施例である。
【００９５】
したがって、このように各版のラインスクリーンを設定することによって、５色で画像
を形成する場合のモアレを抑制することが可能となる。
【００９６】
図６は、実施の形態による画像処理手順を説明するフローチャートである。原稿の読み取りなどによって、画像データがＲＧＢで入力された場合、色変換部１は、入力された画像データをＣＭＹに変換する（ステップＳ１０１）。ＢＧ／ＵＣＲ処理部２は、変換されたＣＭＹデータに対して、黒生成およびアンダーカラー除去処理を施す（ステップＳ１０２）。Ｂｋ／Ｌｋ生成部３は、ＢＧ／ＵＣＲ処理部２によって処理を施されたＣＭＹＫデータのＫデータを、Ｂｋ（濃ブラック）およびＬｋ（淡ブラック）データに分解する（ステップＳ１０３）。
【００９７】
中間調処理部４は、Ｂｋ／Ｌｋ生成部３によって処理を施されたＣＭＹＫデータの各データに対して、あらかじめスクリーン設定に基づいて生成されたディザマトリクスを記憶しているメモリからディザマトリクスを読み出して、各版ごとに量子化処理を施す（ステップＳ１０４）。
【００９８】
ここで、読み出すディザマトリクスは、例えば、実施例１において設定されたものである。あるいは、実施例２、実施例３，および実施例４のいずれにおいて設定されたものであってもよい。
【００９９】
（３．効果）
以上説明したように、本発明の実施の形態による画像形成装置は、周期的なドットによ
る画像形成において、モアレ現象の発生を抑止しうる。
【０１００】
（４．ハードウェア構成）
図７は、実施の形態による画像形成装置のハードウェア構成例を示す図である。上述し
た画像形成装置は、あらかじめ用意されたプログラムをパーソナルコンピュータやワーク
ステーションなどのコンピュータシステムで実行することによって実現できる。コンピュ
ータ２００は、ＣＰＵ（Ｃｅｎｔｒａｌ  Ｐｒｏｃｅｓｓｉｎｇ  Ｕｎｉｔ）２０１によ
って装置全体が制御されている。ＣＰＵ２０１には、バス２０７を介してＲＯＭ（Ｒｅａ
ｄ  Ｏｎｌｙ  Ｍｅｍｏｒｙ）２０２、ＲＡＭ（Ｒａｎｄｏｍ  Ａｃｃｅｓｓ  Ｍｅｍｏ
ｒｙ）２０３、ハードディスクドライブ（ＨＤＤ：Ｈａｒｄ  Ｄｉｓｋ  Ｄｒｉｖｅ）２
０４、グラフィック処理装置２０５、入力インタフェース２０６が接続されている。ＲＯ
Ｍ２０２、およびＲＡＭ２０３には、ＣＰＵ２０１に実行させるＯＳ（Ｏｐｅｒａｔｉｎ
ｇ  Ｓｙｓｔｅｍ）のプログラムやアプリケーションプログラムの少なくとも一部が格納
される。またＲＡＭ２０３には、ＣＰＵ２０１による処理に必要な各種データが格納され
る。ＨＤＤ２０４には、ＯＳ、各種ドライバプログラム、アプリケーションプログラム、
検出されたデータなどが格納される。
【０１０１】
また、バス２０７には、グラフィック処理装置２０５、入力インタフェース２０６、お
よび画像形成部２１４が接続している。グラフィック処理装置２０５には、モニタ２１１
が接続されている。グラフィック処理装置２０５は、ＣＰＵ２０１からの命令に従って、
画像をモニタ２１１の画面に表示させる。入力インタフェース２０６には、キーボード２
１２とマウス２１３とが接続されている。入力インタフェース２０６は、キーボード２１
２やマウス２１３から送られてくる信号を、バス２０７を介してＣＰＵ２０１に送信する
。画像形成部２１４は、画像を形成する。
【０１０２】
以上のようなハードウェア構成によって、本実施の形態の処理機能を実現することがで
きる。本実施の形態をコンピュータ２００上で実現するには、コンピュータ２００にドラ
イバプログラムを実装する。
【０１０３】
尚、本実施形態の画像形成装置で実行される画像形成処理プログラムは、インストール
可能な形式又は実行可能な形式のファイルでＣＤ−ＲＯＭ、フロッピー（登録商標）ディスク、ＤＶＤ等のコンピュータで読み取り可能な記録媒体に記録されて提供される。
【０１０４】
また、本実施形態の画像形成処理プログラムを、インタネット等のネットワークに接続
されたコンピュータ上に格納し、ネットワーク経由でダウンロードさせることにより提供
および配布するように構成しても良い。
【産業上の利用可能性】
【０１０５】
以上のように、本発明にかかる画像形成装置は、画像形成技術に有用であり、特に、ト
ナーあるはインクジェットを使用するデジタルカラー画像形成技術に適している。
【図面の簡単な説明】
【０１０６】
【図１】本発明の実施の形態による画像形成装置の構成を示す機能的ブロック図である。
【図２】従来例におけるスクリーン角１８°の網点スクリーンおよびラインスクリーンを説明する図である。
【図３】Ｂｋ版を２１２Ｌ（４５°）に、Ｌｋ版を２０６Ｌ（３１°）に設定したスクリーンの場合、版の重なりによるモアレが生じることを説明する図である。
【図４】Ｂｋ版を２１２Ｌ（４５°）に、Ｌｋ版を２００Ｌ（０°）に設定したスクリーンにおいて、版の重なりによるモアレの発生が抑制されたことを説明する図である。
【図５】Ｂｋ版を２１２Ｌ（４５°）に、Ｌｋ版を１２６Ｌ（１８°）に設定したスクリーンにおいて、版の重なりによるモアレの発生が抑制されたことを説明する図である。
【図６】実施の形態による画像処理手順を説明するフローチャートである。
【図７】実施の形態による画像形成装置のハードウェア構成例を示す図である。
【符号の説明】
【０１０７】
１  色変換部
２  ＢＧ／ＵＣＲ処理部
３  Ｂｋ／Ｌｋ生成部
４  中間調処理部
１０  画像形成装置
【図１】
2005297538.tif 000006
【図２】
2005297538.tif 000007
【図３】
2005297538.tif 000008
【図４】
2005297538.tif 000009
【図５】
2005297538.tif 000010
【図６】
2005297538.tif 000011
【図７】
2005297538.tif 000012